(57)【要約】【課題】接続端子部を形成する固定端子の金型を小型化してスイッチを小型化可能であると共に、スイッチ組立時の接触片装着が容易なスイッチの提供。【解決手段】ハウジング本体２０ａ内に設ける第一固定端子３０及び第二固定端子４０をハウジング本体２０ａ内に設ける接触片５０によってオン／オフを切り替えるスイッチ１０において、接触片５０の湾曲部５０ｃと接触する第一固定端子３０を金型成形するが、第一固定端子３０の他端である接触部３０ｃに接触溝３０ｄを形成することで、接触片５０をスイッチ１０内に載置した後、接触片５０の固定部５０ｂをハウジング本体２０ａ内に位置させて、湾曲部５０ｃを接触溝３０ｄに係止させる。湾曲部５０ｃを接触溝３０ｄに係止させた状態では接触片５０のねじり方向の付勢力を利用して圧縮方向への付勢力に抗し係止状態を保てるので、スイッチ１０組立時に固定治具を必要としない。【選択図】  図１
2004327115.tif 000002
【特許請求の範囲】
【請求項１】
内部に空間部を有するハウジングと、
一端はハウジング外部に設けられ、他端はハウジング内部に設けられると共に、接触溝を有する接触部が設けられる第一固定端子と、
一端はハウジング外部に設けられ、他端はハウジング内部に設けられると共に接触部が設けられる第二固定端子と、
ハウジング内部に設けられ、一端には第一固定端子の接触溝に係止することで第一固定端子の接触部に接触される固定部が設けられ、他端には第二固定端子の接触部と接触可能な可動部が設けられ、中間部はコイルスプリング部を形成し、ねじり方向及び圧縮方向に付勢される接触片と、
基端はハウジング内部に設けられると共に、揺動中心となる支持部が設けられ、他部は支持部を揺動中心として揺動可能であると共に、接触片と当接される押圧面が設けられ、揺動することで接触片をねじり方向へ押圧可能な操作体、
とからなることを特徴とするスイッチ。
【発明の詳細な説明】
【０００１】
【発明の属する技術分野】
この発明は、電子機器に検知用スイッチ等として使用されるスイッチに関する。詳細には、コイルスプリングと接触するハウジング内の接触部の形状に関する。
【０００２】
【従来の技術】
スイッチにおいて、通電をさせるための接触部の形状としては、フラット形状からなるものが知られている。即ち、図９及び図１０に表すように、ケース１００は、内部に空間部を有する筐体からなり、上部を開口し、内部に固定端子１０１及び接触片１０２が設けられ、上部の開口部をカバー１０３によって被覆される。固定端子１０１は、接触部１０１ａ及び脚部１０１ｂからなる。接触部１０１ａは、上面がフラット形状に形成された板状体からなる。接触部１０１ａの側部からは、一対の脚部１０１ｂが下方へ折曲した状態に延設される。固定端子１０１は、脚部１０１ｂがケース１００の下面から外部に突出されると共に、接触部１０１ａがケース１００内部の底面に敷設される。接触片１０２は、中間部がコイル形状からなるコイルスプリング部１０２ａを形成し、コイルスプリング部１０２ａから延設される一端が一方の接点部１０２ｂを形成する。また、コイルスプリング部１０２ａから延設される他端は、詳説しないが、スイッチのオン／オフを切り替える押圧部によって移動される他方の接点部を形成する。
【０００３】
このように構成されるスイッチの組み立て工程は、接触片１０２を固定治具（図示せず）によってケース１００の内部に、接点部１０２ｂが接触部１０１ａに接触するように位置させておく。次いで、上部の開口部をカバー１０３によって被覆し、この状態のままケース１００内部から固定治具を取り外す（特許文献１参照）。
【０００４】
更に、他の通電をさせるための接触部の形状としては、平面の一部が突出した形状からなるものが知られている。即ち、図１１及び図１２に表すように、ケース１１０は、内部に空間部を有する筐体からなり、一側面１１０ａを開口し、内部に固定端子１１１及び接触片１１２が設けられ、図１１に表すように、一側面１１０ａをカバー１１３によって被覆される。固定端子１１１は、接触部１１１ａ及び脚部１１１ｂからなる。接触部１１１ａは、上面に係止部１１１ｃを突設した板状体からなる。接触部１１１ａの側部からは、一対の脚部１１１ｂが下方へ折曲した状態に延設される。固定端子１１１は、脚部１１１ｂがケース１１０の下面から外部に突出されると共に、接触部１１１ａはケース１１０内部の底面に係止部１１１ｃが上方向になるように敷設される。接触片１１２は、中間部がコイル形状からなるコイルスプリング部１１２ａを形成し、コイルスプリング部１１２ａから延設される一端が一方の接点部１１２ｂを形成する。また、コイルスプリング部１１２ａから延設される他端は、詳説しないが、スイッチのオン／オフを切り替える押圧部１１４によって移動される他方の接点部１１２ｃを形成する。
【０００５】
このように構成されるスイッチの組立工程は、接触片１１２のコイルスプリング部１１２ａから延設される接点部１１２ｂ，１１２ｃをねじり方向に圧縮させた状態で、ケース１１０の内部に挿入し、接触片１１２の接点部１１２ｃを押圧部１１４に接触させる。この状態では、接点部１１２ｂ及びコイルスプリング部１１２ａの接点部１１２ｂ側部分は、ケース１１０の外部に位置されている。そこで、接触片１１２の接点部１１２ｂをケース１１０の内部方向へ押圧し、接触部１１１ａの係止部１１１ｃに係止させる。この状態では、まだコイルスプリング１１２ａの接点部１１２ｂ側部分は、ケース１１０の外部に位置される。次いで、ケース１１０の外部に位置されるコイルスプリング部１１２ａの一部にカバー１１３の内面を当接させ、この状態のまま、カバー１１３をケース１１０の開口面に当接させて固定する。すると、コイルスプリング部１１２ａは、圧縮されてケース１１０の内部に位置され、カバー１１３がケース１１０の一側面１１０ａを被覆する。
【０００６】
【特許文献１】
特公平７−９３０７４号公報
【０００７】
【発明が解決しようとする課題】
しかしながら、フラット形状である接触部１０１ａがケース１００内部に設けられた場合のスイッチの組立工程では、固定治具を用いてケース１００の内部に接触片１０２を位置させた後、ケース１００の上部開口部をカバー１０３によって被覆させていた。そして、この状態のまま、ケース１００又はカバー１０３に予め設けられた取り出し孔（図示せず）から固定治具を取り外していた。そのため、固定治具を別途用意しなければならないという問題を有した。更に、ケース１００又はカバー１０３には、固定治具を取り外すための孔を設けなければならないと共にケース１００の内部に固定治具を位置させるスペースが必要となり、スイッチの小型化が困難であるという問題を有した。
【０００８】
更に、突出した形状を有する接触部１１１ａがケース１１０内部に設けられた場合のスイッチの組立工程では、接触片１１２の接点部１１２ｂを接触部１１１ａの係止部１１１ｃに係止させることで、固定治具を用いずにスイッチを組立ることが可能となる。しかしながら、スイッチを小型化するには、接触部１１１ａを製造するための金型も極小さな係止部１１１ｃの突部形状に形成することが必要であり、極小さな金型に係止部１１１ｃの突部形状を形成して接触部１１１を型抜き或いは型押し加工することは技術的に困難であるため、スイッチの小型化が困難になるという問題を有した。
【０００９】
【課題を解決するための手段】
この課題を解決するために、
内部に空間部を有するハウジングと、
一端はハウジング外部に設けられ、他端はハウジング内部に設けられると共に、接触溝を有する接触部が設けられる第一固定端子と、
一端はハウジング外部に設けられ、他端はハウジング内部に設けられると共に接触部が設けられる第二固定端子と、
ハウジング内部に設けられ、一端には第一固定端子の接触溝に係止することで第一固定端子の接触部に接触される固定部が設けられ、他端には第二固定端子の接触部と接触可能な可動部が設けられ、中間部はコイルスプリング部を形成し、
ねじり方向及び圧縮方向に付勢される接触片と、
基端はハウジング内部に設けられると共に、揺動中心となる支持部が設けられ、他部は支持部を揺動中心として揺動可能であると共に、接触片と当接される押圧面が設けられ、揺動することで接触片をねじり方向へ押圧可能な操作体、
とからなることを特徴とするスイッチ、
【００１０】
を提供する。以下に、この発明の作用を説明する。
通常状態におけるスイッチでは、接触片に設けた固定部がコイルスプリング部のねじり方向への付勢力によって第一固定端子と接触している。又、接触片に設けた可動部はコイルスプリング部の圧縮方向への付勢力によって第二固定端子の接触部と接触している状態か、或は、非接触の状態である。従って、第二固定端子が可動部と接触状態で有れば第一固定端子及び第二固定端子は、接触片によって電気的に導通状態であり、又、第二固定端子が可動部と非接触状態で有れば第一固定端子及び第二固定端子は、接触片によって電気的に非導通の状態である。
この状態で、操作体の他部が押圧される。すると、操作体は、支持部を揺動中心として、接触片のねじり方向への付勢力に抗し、接触片をねじり方向へ移動させながら揺動する。操作体の揺動に伴い、接触片の可動部は、コイルスプリング部の圧縮方向への付勢力により移動される。そして、移動が進むと接触片は、通常状態が導通状態で有れば第二固定端子と接触を解除するので、スイッチは第一固定端子及び第二固定端子が電気的に非導通状態となり、又、通常状態が非導通状態で有れば接触片は第二固定端子と接触するので、スイッチは第一固定端子及び第二固定端子が電気的に導通状態となる。
【００１１】
操作体への押圧が解除されると、コイルスプリング部のねじり方向への付勢力により可動部が通常状態での位置へ移動するので、操作体もこの移動に伴い揺動して元の位置に戻され、通常状態が第一固定端子と第二固定端子とが導通状態で有れば通常状態と同様に接触片が第二固定端子の接触部と再び接触して第一固定端子と第二固定端子とが電気的に導通された状態となる。又、通常状態が第一固定端子と第二固定端子とが非導通状態で有れば、接触片が第一固定端子と第二固定端子との導通状態が解除されることとなる。
【００１２】
【発明の実施の形態】以下に、この発明の第１実施形態の蓋体を取り除いた状態を表す正面図である図１、同蓋体を取り付けた状態を表す正面図である図２、同蓋体を取り除いた状態を表す斜視図である図３、図１の第一固定端子の接触溝の部分拡大図を表す図４、同蓋体を取り付けた状態を表す側面図である図５、図５の第一固定端子の接触溝の部分拡大図を表す図６、同接触片を表す斜視図を表す図７及びこの発明の第２実施形態の蓋体を取り除いた状態を表す正面図である図８に基づいてこの発明の実施の形態を説明する。
【００１３】
スイッチ１０は、図１に表すように、ハウジング２０、第一固定端子３０、第二固定端子４０、接触片５０及び操作体６０からなる。
【００１４】
ハウジング２０は、図２に表すように、ハウジング本体２０ａ及び蓋体２０ｂからなり、図１に表すように、上面２０ｃを開口した筐体形状からなる。ハウジング本体２０ａは、上面２０ｃに接する開口された一側面２０ｄを、図２に表すように、蓋体２０ｂによって閉塞される。蓋体２０ｂは、スイッチ１０の組立時には外されており、組立工程においてハウジング本体２０ａの一側面２０ｄを被覆固定する。ハウジング本体２０ａの一側面２０ｄと対向位置にある他側面２０ｅには、図３に表すように、図中左上部側に円形状に形成された係止孔２０ｆが凹設され、また係止孔２０ｆの下方には円柱状に形成された突起２０ｇが突設される。更に、図１に表すように、上面２０ｃと対向位置にあるハウジング本体２０ａの内部の底面２０ｈには、第一固定端子３０を位置決めする位置決め溝２０ｉが凹設される。蓋体２０ｂには、図２に表すように、一側面２０ｄを被覆してハウジング本体２０ａに固定された状態時に係止孔２０ｆと対向する位置に係止孔２０ｊを貫通して設け、操作体６０を係止孔２０ｆと係止孔２０ｊによってハウジング本体２０ａ内に揺動可能に係止させる。
【００１５】
第一固定端子３０は、図１に表すように、導電性部材からなり、一端がハウジング本体２０ａの外部に位置されて接続端子部３０ａを形成し、中間部３０ｂ及び他端である接触部３０ｃがハウジング本体２０ａの内部に位置されて板状体が折曲された状態に形成される。中間部３０ｂは、ハウジング本体２０ａの他側面２０ｅ表面に沿って固定される。他端である接触部３０ｃは、中間部３０ｂから略直角に折曲されて底面２０ｈに設けた位置決め溝２０ｉ内に位置されて固定され、接触片５０と接触されることで接触片５０を介して第二固定端子４０と導通状態を確立可能である。そして、他端である接触部３０ｃの上面２０ｃ側表面には、一側面２０ｄと平行に接触溝３０ｄが凹設される。
【００１６】
第二固定端子４０は、図１に表すように、導電性部材からなり、一端がハウジング本体２０ａの外部に位置されて接続端子部４０ａを形成し、中間部４０ｂ及び他端である接触部４０ｃがハウジング本体２０ａの内部に位置されて、第一固定端子３０と接触しないようにハウジング本体２０ａの他側面２０ｅ表面に沿って固定される。他端である接触部４０ｃは、中間部４０ｂからハウジング本体２０ａの突起２０ｇ方向へ突起２０ｇの手前まで延設される。
【００１７】
接触片５０は、導電性部材からなり、図１及び図７に表すように、中間部にはコイル形状からなるコイルスプリング部５０ａが形成される。コイルスプリング部５０ａは、ねじり方向に弾性を有すると共に、図７に表すように、図中矢印Ａで表すコイルスプリング部５０ａの中心線方向である圧縮方向へも弾性を有してなる。接触片５０の一端は、コイルスプリング部５０ａの一端から「Ｌ」字状に折曲されて延設される固定部５０ｂを形成する。固定部５０ｂは、中間部が湾曲部５０ｃを形成し、コイルスプリング部５０ａのねじり方向へ「Ｌ」字状に折曲し、更に湾曲部５０ｃからは直線部５０ｄが延設される。また、接触片５０の他端は、コイルスプリング部５０ａの他端から「Ｌ」字状に折曲して延設される可動部５０ｅを形成する。可動部５０ｅは、中間部が湾曲部５０ｆを形成し、コイルスプリング部５０ａの圧縮方向へ「Ｌ」字状に折曲し、更に湾曲部５０ｆからは直線状に設けられた操作体接触部５０ｇが延設される。
【００１８】
操作体６０は、板状体からなり、図１に表すように、基端部には表裏面から円柱状に突出した支持部６０ｂを形成し、先端は押圧部６０ａを形成し、支持部６０ｂから押圧部６０ａに続く中間部の図中下面には平面状に設けた押圧面６０ｃを形成する。従って、操作体６０は、支持部６０ｂを揺動中心として押圧部６０ａ側が揺動可能であり、揺動されることで押圧面６０ｃが接触片５０を押圧可能となる。
【００１９】
このように構成されるスイッチ１０では、第一固定端子３０は、接触溝３０ｄが上面２０ｃ方向へ向いた状態で接触部３０ｃがハウジング本体２０ａの位置決め溝２０ｉ内に位置されると共に、中間部３０ｂがハウジング本体２０ａの他側面２０ｅ表面に沿って固定され、且つ接続端子部３０ａがハウジング本体２０ａの外部に位置された状態でハウジング本体２０ａに固定されている。また、第二固定端子４０も、中間部４０ｂ及び接触部４０ｃがハウジング本体２０ａの他側面２０ｅ表面に沿って固定されると共に、接続端子部４０ａがハウジング本体２０ａの外部に位置された状態でハウジング本体２０ａに固定されている。このように第一固定端子３０及び第二固定端子４０が固定されたハウジング本体２０ａに、接触片５０のコイルスプリング部５０ａを突起２０ｇに嵌合させる。接触片５０をハウジング本体２０ａに取り付けた状態で、操作体６０の押圧面６０ｃをハウジング本体２０ａの底面２０ｈ方向へ向け、支持部６０ｂをハウジング本体２０ａの係止孔２０ｆに嵌合させる。この状態で、操作体６０は、ハウジング本体２０ａに対し揺動可能である。次いで、可動部５０ｅの操作体接触部５０ｇを操作体６０の押圧面６０ｃに接触させ、固定部５０ｂをコイルスプリング部５０ａのねじり方向並びに圧縮方向へ付勢して第一固定端子３０の接触溝３０ｄに湾曲部５０ｃを係止させる。この状態では、コイルスプリング部５０ａの一部は、ハウジング本体２０ａの外部に位置している。次いで、ハウジング本体２０ａの外部に位置しているコイルスプリング部５０ａに蓋体２０ｂを当接させ、係止孔２０ｊに支持部６０ｂを嵌合させた状態で、蓋体２０ｂをハウジング本体２０ａの一側面２０ｄに当接させて固定する。すると、コイルスプリング部５０ａは、ねじり方向並びに圧縮方向に圧縮された状態でハウジング本体２０ａの内部に位置され、蓋体２０ｂがハウジング本体２０ａの一側面２０ｄを被覆した状態で固定されている。
【００２０】
以下に、実施の形態の作用を説明する。
スイッチ１０は、通常状態では、接触片５０が圧縮方向並びにねじり方向へ付勢された状態でハウジング２０内にあるため、コイルスプリング部５０ａの圧縮方向への付勢力によって可動部５０ｅが第二固定端子４０の接触部４０ｃと接触し、且つコイルスプリング部５０ａのねじり方向への付勢力によって固定部５０ｂが第一固定端子３０と接触している。従って、スイッチ１０は通常状態で第一固定端子３０及び第二固定端子４０を接触片５０によって電気的に導通状態にしている。
この状態で、操作体６０の押圧部６０ａが押圧される。すると、操作体６０は、支持部６０ｂを揺動中心として、接触片５０の付勢力に抗し、接触片５０をねじり方向へ圧縮させながら揺動する。操作体６０の揺動に伴い、接触片５０の可動部５０ｅは、コイルスプリング部５０ａの圧縮方向への付勢力により、第二固定端子４０の接触部４０ｃに接触しながらハウジング本体２０ａの底面２０ｈ方向へ移動される。そして、移動が進むと接触片５０は、やがて第二固定端子４０と接触を解除するので、スイッチ１０は第一固定端子３０及び第二固定端子４０が電気的な導通状態を解除する。
【００２１】
押圧部６０ａの押圧が解除されると、操作体６０はコイルスプリング部５０ａのねじり方向の付勢力により当接している可動部５０ｅによって元の位置に戻され、図１及び図２に表すように、第二固定端子４０の接触部４０ｃと再び接触するので、スイッチ１０は第一固定端子３０と第二固定端子４０が電気的に導通された状態となる。
【００２２】
以下に、図８に表す第２の実施の形態を説明する。
図８は、図１に表す第１の実施の形態同様にハウジング本体２０ａ内部に第一固定端子３０及び第二固定端子４０が固定され、接触片５０の可動部５０ｅが操作体６０を図中上方に付勢した状態で設けられる。
そして、第２の実施の形態では、図８に表すように、接触片５０の可動部５０ｅが操作体６０によって移動され、第二接触端子４０との接触を解除した状態となる位置に第三固定端子７０を第二接触端子４０と同様にハウジング本体２０ａ内に固定する。そして、第三固定端子７０も第二接触端子４０同様、接続端子部７０ａをハウジング本体２０ａ外部に設け、ハウジング本体２０ａ内部にはハウジング本体２０ａに固定される接触部７０ｂを設ける。
そして、第２の実施の形態におけるスイッチ１０は、押圧部６０ａが押圧されていない通常状態では第１の実施の形態同様に、第一固定端子３０及び第二固定端子４０が接触片５０によって導通状態となる。
これに対し、通常状態から押圧部６０ａが押圧された状態では、第１の実施の形態と異なり、押圧部６０ａの揺動に伴って移動した接触片５０の可動部５０ｅが第二接触端子４０との接触を解除した後、更に移動が進むと、可動部５０ｅは第二接触端子４０との接触時同様に第三固定端子７０の接触部７０ｂと接触されることとなる。従って第２の実施の形態では、第一固定端子３０及び第二接触端子４０との導通状態が解除された後、第一固定端子３０及び第三固定端子７０が導通状態となる。
従って、第２の実施の形態では、第一固定端子３０及び第二固定端子４０との導通状態と、第一固定端子３０及び第三固定端子７０の導通状態とを切り替える切り替えスイッチ１０を構成する。
尚、詳細は説明しないが、第２の実施の形態同様の手法にて固定端子を増やすことで更に複数路の切り替えスイッチとして構成することも可能である。
又、第２の実施の形態におけるスイッチ１０から第二固定端子４０を取り除いた第一固定端子３０及び第三固定端子７０のみの固定端子から構成することで、スイッチ１０を通常状態が非導通状態であり、作動した状態が導通状態となる切り替えスイッチとして実施しても良い。
【００２３】
【発明の効果】
この発明によれば、第一固定端子には、突部形状の係止部を形成しないことから、第一固定端子を製造するための金型をフラット形状に形成することができる。そのため、第一固定端子の金型形状を簡素化することができると共に、スイッチの組立てを容易にすることが可能である。
また、フラット形状の金型で型押し或いは型抜きされた第一固定端子に、極小さな溝状の接触溝を形成することは、第一固定端子の金型を極小さな突部形状に形成するよりも技術的に容易なため、スイッチの小型化が可能である。
更に、固定治具を別途用意する必要がないことから、ハウジングの内部に固定治具を位置させるスペースを取る必要がないと共に、ハウジングに固定治具を取り外すための孔を設ける必要もない。そのため、ハウジングの金型形状を簡素化することができると共に、スイッチの組立てを容易にし、更にスイッチの小型化が可能である。
【図面の簡単な説明】
【図１】この発明の第１実施形態の蓋体を取り除いた状態を表す正面図
【図２】同蓋体を取り付けた状態を表す正面図
【図３】同蓋体を取り除いた状態を表す斜視図
【図４】図１の第一固定端子の接触溝の部分拡大図
【図５】同蓋体を取り付けた状態を表す側面図
【図６】図５の第一固定端子の接触溝の部分拡大図
【図７】同接触片を表す斜視図
【図８】この発明の第２実施形態の蓋体を取り除いた状態を表す正面図
【図９】従来例１を表す斜視図
【図１０】同正面図
【図１１】従来例２を表す斜視図
【図１２】同正面図
【符号の説明】
１０  スイッチ
２０  ハウジング
２０ａ  ハウジング本体
２０ｂ  蓋体
２０ｃ  上面
２０ｄ  一側面
２０ｅ  他側面
２０ｆ  係止孔
２０ｇ  突起
２０ｈ  底面
２０ｉ  位置決め溝
２０ｊ  係止孔
３０  第一固定端子
３０ａ  接続端子部
３０ｂ  中間部
３０ｃ  接触部
３０ｄ  接触溝
４０  第二固定端子
４０ａ  接続端子部
４０ｂ  中間部
４０ｃ  接触部
５０  接触片
５０ａ  コイルスプリング部
５０ｂ  固定部
５０ｃ  湾曲部
５０ｄ  直線部
５０ｅ  可動部
５０ｆ  湾曲部
５０ｇ  操作体接触部
６０  操作体
６０ａ  押圧部
６０ｂ  支持部
６０ｃ  押圧面
７０  第三固定端子
７０ａ  接続端子部
７０ｂ  接触部
【図１】
2004327115.tif 000003
【図２】
2004327115.tif 000004
【図３】
2004327115.tif 000005
【図４】
2004327115.tif 000006
【図５】
2004327115.tif 000007
【図６】
2004327115.tif 000008
【図７】
2004327115.tif 000009
【図８】
2004327115.tif 000010
【図９】
2004327115.tif 000011
【図１０】
2004327115.tif 000012
【図１１】
2004327115.tif 000013
【図１２】
2004327115.tif 000014